(57)【要約】【課題】タッチパネルを用いる必要がないとともに、多数の操作キーが密集して配置される場合であっても携帯機器の操作性および視認性を向上させることが可能な携帯機器を提供する。【解決手段】この携帯電話機１００（携帯機器）は、操作部側本体１０および表示部側本体２０と、操作部側本体１０に固定的に設置され、３つの表示パターンを切り替えて表示可能な複数の操作キー４０とを備え、複数の操作キー４０を用いて単一の意味を有する操作ボタン４２の表示を行うように構成されている。【選択図】図４
2011015187.tif 000002
【特許請求の範囲】
【請求項１】
携帯機器本体と、
前記携帯機器本体に固定的に設置され、複数の操作キー表示パターンを切り替えて表示可能な複数の操作キーとを備え、
前記複数の操作キーを用いて単一の意味を有する第１操作キー表示パターンの表示を行うように構成されている、携帯機器。
【請求項２】
前記第１操作キー表示を行う場合に、前記単一の意味を有する複数の操作キーのうちの少なくとも１つが押下された場合に、操作指示が有効になるように構成されている、請求項１に記載の携帯機器。
【請求項３】
前記複数の操作キーのみならず前記複数の操作キー間の前記操作キー以外の部分も用いて前記単一の意味を有する第１操作キー表示パターンの表示を行うように構成されている、請求項１または２に記載の携帯機器。
【請求項４】
前記複数の操作キーは、シート状部材に一体的に設けられており、
前記シート状部材の前記操作キーに対応する部分は凸部として形成されるとともに、前記シート状部材の前記操作キー以外の部分は凹部として形成されている、請求項３に記載の携帯機器。
【請求項５】
前記携帯機器本体は、表示部を含み、
前記表示部に動画が表示されている場合には、前記第１操作キー表示パターンとして、少なくとも再生ボタンおよび停止ボタンを含む操作ボタンの各々を、前記複数の操作キーを用いて表示するように構成されている、請求項１〜４のいずれか１項に記載の携帯機器。
【請求項６】
前記第１操作キー表示パターンは、数字および文字以外の図柄の操作キー表示パターンを含む、請求項１〜５のいずれか１項に記載の携帯機器。
【請求項７】
前記複数の操作キーを用いて単一の意味を有する第１操作キー表示パターンを表示する第１モードと、単一の前記操作キーを用いて単一の意味を有する第２操作キー表示パターンを表示する第２モードとを切替可能に構成されている、請求項１〜６のいずれか１項に記載の携帯機器。
【発明の詳細な説明】
【技術分野】
【０００１】
この発明は、携帯機器に関し、特に、複数の操作キーを備えた携帯機器に関する。
【背景技術】
【０００２】
従来、複数の操作キーを備えた携帯機器が知られている（たとえば、特許文献１〜４参照）。
【０００３】
上記特許文献１には、携帯電話機本体と、複数の操作キーとを備えた携帯電話機が開示されている。これらの複数の操作キーは、１つの操作キーについてそれぞれ数字、平仮名およびアルファベットの３種類の文字が割り当てられている。そして、携帯電話機の入力モードを切り替えることにより、割り当てられた３種類の文字のうち選択された入力モードに対応した文字を操作キーがそれぞれ示すように構成されている。また、複数の操作キーは、割り当てられた３つの文字をそれぞれ３つの光源からの光を用いてキートップ（キーの上面部分）に個別に表示することが可能なように構成されている。たとえば入力モードが平仮名の場合には、１つの操作キーに割り当てられた１つの平仮名のみが、その１つの操作キーのキートップの全体に表示される。そして、操作キーは、入力モードが切り替えられると、切り替えられた入力モードに対応した１つの文字のみが１つの操作キーのキートップ全体に表示されるように構成されている。
【０００４】
また、上記特許文献２には、電子機器本体と、複数の操作キーとを備えた電子機器が開示されている。これらの複数の操作キーは、１つの操作キーについて数字または記号と、アルファベットとの２種類の文字がそれぞれ割り当てられている。１つの操作キーのキートップには、割り当てられた２種類の文字が併記されている。各操作キーは、２つの光源からの光によって２種類の文字の一方のみが表示されるように構成されている。そして、電子機器の入力モードを切り替えることにより、割り当てられた２種類の文字のうち選択された入力モードに対応した文字のみが、１つの操作キーのキートップに発光表示されるように構成されている。
【０００５】
また、上記特許文献３には、携帯電話機本体と、複数の操作キーとを備えた携帯電話機が開示されている。これらの複数の操作キーは、１つの操作キーについて、１つの数字、アルファベットまたは記号などが割り当てられている。そして、携帯電話機の入力モードを切り替えることにより、選択された入力モードに対応した数字、アルファベットなどが各操作キーにより入力されるように構成されている。そして、携帯電話機の入力モードを切り替えると、１つの操作キーに割り当てられた１つの数字、アルファベットまたは記号のうち、選択された入力モードに対応した１つの文字のみがその１つの操作キーのキートップに表示されるように構成されている。
【０００６】
また、上記特許文献４には、端末本体部と、キー操作部とを備えた携帯端末が開示されている。このキー操作部は、表面側（操作面側）に設けられたタッチパネルと、タッチパネルの裏面側に設けられた複数の液晶表示フィルムとを含んでいる。複数の液晶表示フィルムには、それぞれ、電話機能のためのテンキーなどが設けられた表示パターンや、メール機能のための平仮名のキーが設けられた表示パターンなどが形成されている。これらの液晶表示フィルムを用いて、液晶表示フィルムに形成されたそれぞれの表示パターンがタッチパネルの裏面側に選択的に表示されるように構成されている。そして、この携帯端末は、電話機能やメール機能を使用する際に携帯端末の各機能に応じた表示パターンを表示するように構成されている。これにより、上記特許文献４による携帯端末では、携帯端末の各機能毎にそれぞれ専用の入力画面を表示するとともに、タッチパネルを用いて入力操作を受け付けるように構成されている。
【先行技術文献】
【特許文献】
【０００７】
【特許文献１】特開２００８−３０４８７５号公報
【特許文献２】特開２００８−９８１６０号公報
【特許文献３】特表２００７−５２２５７３号公報
【特許文献４】特開２００９−４４２２５号公報
【発明の概要】
【発明が解決しようとする課題】
【０００８】
近年、携帯機器の多機能化によって様々な入力形式に対応する必要が生じた結果、携帯機器に設けられる操作キー数が増加する傾向にある。しかしながら、携帯機器の小型化の要請から操作キーの配置スペースが限られるため、多数の操作キーが小型化するとともに密集して配置されることに起因して、操作キーの操作性および視認性が低下してしまうという問題点がある。
【０００９】
上記特許文献１〜３に開示された携帯電話機および電子機器では、１つの操作キーについて、入力モードに対応した１つの文字のみをキートップに表示させることによって、操作キーの視認性が低下するのを抑制している一方、操作キーが小型化するとともに密集して配置される場合に、操作キーの視認性を向上させるには不十分であるという問題点がある。また、１つの操作キーについて、操作キーのキートップ以上の大きさの文字を表示することはできないので、操作キーが小型化するとともに密集して配置される場合にはユーザが意図するキーを正確に押下するのが困難である。その結果、操作キーの操作性が低下してしまうという問題点もある。
【００１０】
また、上記特許文献４に開示された携帯端末では、キー操作部の表示を、各機能に応じた専用の表示パターンに変更するとともに、タッチパネルを用いて表示パターンに応じた操作入力を検出することが可能な一方、上記特許文献４に開示されたメール画面のように５０音を示した多数の小型のキーを密集して配置した表示パターンを用いる場合には、ユーザが意図するキーを正確に押下するのが困難であるという不都合がある。その場合、細かい入力操作を行うためのペン状の入力具を用いるのが一般的であるが、入力具を使用する場合に素早い入力操作を行うことは困難であるので、操作性が低下してしまうという問題点がある。また、タッチパネルは、液晶表示部などが必要であるので構造が複雑になるという問題点もある。
【００１１】
この発明は、上記のような課題を解決するためになされたものであり、この発明の１つの目的は、タッチパネルを用いる必要がないとともに、多数の操作キーが密集して配置される場合であっても携帯機器の操作性および視認性を向上させることが可能な携帯機器を提供することである。
【課題を解決するための手段および発明の効果】
【００１２】
この発明の一の局面による携帯機器は、携帯機器本体と、携帯機器本体に固定的に設置され、複数の操作キー表示パターンを切り替えて表示可能な複数の操作キーとを備え、複数の操作キーを用いて単一の意味を有する第１操作キー表示パターンの表示を行うように構成されている。
【００１３】
この発明の一の局面による携帯機器では、上記のように、複数の操作キーを用いて単一の意味を有する第１操作キー表示パターンの表示を行うことによって、携帯機器によって実行する機能において必要とされる操作キー数が携帯機器に設けられたキー数よりも少ない場合には、第１操作キー表示パターンに切り替えることにより、複数の操作キーを用いて単一の意味を有するキー領域を表示することができる。これにより、単一の意味を有するとともに複数の操作キーを含む広いキー領域を表示することができるので、操作キー（キー領域）の視認性を向上させることができる。この場合、ユーザは複数の操作キーを含む広いキー領域を押下することにより単一の入力操作を行うことができるので、個々の操作キーが小型でかつ密集して形成されている場合にも操作性を向上させることができる。また、携帯機器本体に固定的に設置された複数の操作キーを用いて単一の意味を有するキー領域を表示することができるので、第１操作キー表示パターンに切り替えることによって実質的にキー配置が変更される場合にもタッチパネルを用いる必要がない。これらの結果、タッチパネルを用いる必要がないとともに、多数の操作キーが密集して配置される場合にも携帯機器の操作性および視認性を向上させることができる。
【００１４】
上記一の局面による携帯機器において、好ましくは、第１操作キー表示を行う場合に、単一の意味を有する複数の操作キーのうちの少なくとも１つが押下された場合に、操作指示が有効になるように構成されている。このように構成すれば、第１操作キー表示を行って複数の操作キーを用いて単一の意味を有するキー領域を表示する場合に、このキー領域に含まれる複数の操作キーのいずれを押下しても操作指示が入力されるので、複数の小型の操作キーが密集して配置された場合にも容易に操作入力を行うことができる。これにより、携帯機器の操作性をさらに向上させることができる。
【００１５】
上記一の局面による携帯機器において、好ましくは、複数の操作キーのみならず複数の操作キー間の操作キー以外の部分も用いて単一の意味を有する第１操作キー表示パターンの表示を行うように構成されている。このように構成すれば、第１操作キー表示パターンを表示する場合にも、複数の操作キーと複数の操作キー間の操作キー以外の部分とを用いて、単一の操作キーに割り当てられる記号などを連続的に表示することができる。これにより、複数の操作キーを含む表示領域の視認性をより向上させることができる。
【００１６】
この場合において、好ましくは、複数の操作キーは、シート状部材に一体的に設けられており、シート状部材の操作キーに対応する部分は凸部として形成されるとともに、シート状部材の操作キー以外の部分は凹部として形成されている。このように構成すれば、複数の操作キーを用いた第１操作キー表示パターンを表示した場合にも、実際に入力を受け付ける操作キーに対応する部分を凸形状に形成することができるので、キー入力時の感触（いわゆるクリック感）が明確となる。この結果、入力時の感触を得にくいタッチパネルを用いる場合と異なり、１つ１つのキー入力操作が正しく行われたことをユーザが確認することができるので、携帯機器の操作性をより向上させることができる。
【００１７】
上記一の局面による携帯機器において、好ましくは、携帯機器本体は、表示部を含み、表示部に動画が表示されている場合には、第１操作キー表示パターンとして、少なくとも再生ボタンおよび停止ボタンを含む操作ボタンの各々を、複数の操作キーを用いて表示するように構成されている。このように構成すれば、動画の再生時において、少なくとも再生ボタンおよび停止ボタンを複数の操作キーを用いて大きく表示することができる。これにより、ユーザは、複数の操作キーを用いて１つの操作ボタンが表示された動画再生専用の表示パターンによって携帯機器の操作を行うことができるので、動画再生時の各操作ボタンの視認性を向上させることができるとともに、操作性を向上させることができる。
【００１８】
上記一の局面による携帯機器において、第１操作キー表示パターンは、数字および文字以外の図柄の操作キー表示パターンを含む。このように構成すれば、一般に多数の操作キーが必要な数字入力時および文字入力時と異なり、数字および文字以外の図柄は、たとえば動画再生時の再生ボタンおよび停止ボタン、またはゲーム機能に用いるボタンなどのように所定の機能毎に専用に用いられる場合が多く、かつ、必要とされるキー数も少ない。一方、これらの数字および文字以外の図柄のキーは、それぞれの機能の使用時においては操作入力の頻度が高い。このため、これらの数字および文字以外の図柄の操作ボタンを第１操作キー表示パターンとして表示する場合には、より多くの操作キーを用いて単一のキー領域の表示を行うことができるので、携帯機器の操作性をさらに向上させることができる。
【００１９】
上記一の局面による携帯機器において、好ましくは、複数の操作キーを用いて単一の意味を有する第１操作キー表示パターンを表示する第１モードと、単一の操作キーを用いて単一の意味を有する第２操作キー表示パターンを表示する第２モードとを切替可能に構成されている。このように構成すれば、携帯機器が実行する機能（アプリケーション）毎に必要とされる操作キー数に応じて、第１操作キー表示パターンを表示する第１モードと、第２操作キー表示パターンを表示する第２モードとを切り替えることができる。これにより、複数の操作キーを固定的に設ける場合にも、機能（アプリケーション）に応じてキーの表示領域の大きさやキーの配置を適切に切り替えることができる。
【図面の簡単な説明】
【００２０】
【図１】本発明の一実施形態による携帯電話機の全体構成を示した斜視図である。
【図２】図１に示した携帯電話機の操作キーの第１表示モードを示した斜視図である。
【図３】図１に示した携帯電話機の操作キーの第２表示モードを示した斜視図である。
【図４】図１に示した携帯電話機の操作キーの第３表示モードを示した斜視図である。
【図５】図１に示した携帯電話機の内部構造を示す分解斜視図である。
【図６】図１に示した携帯電話機の操作キーの第３表示モードを説明するための操作キー部の平面図である。
【図７】図１に示した携帯電話機の操作キー部を説明するための分解斜視図である。
【図８】図１に示した携帯電話機の操作回路部を説明するためのブロック図である。
【図９】本発明の一実施形態による携帯電話機の操作キーの第３表示モードの第１変形例を説明するための操作キー部の平面図である。
【図１０】本発明の一実施形態による携帯電話機の操作キーの第３表示モードの第２変形例を説明するための操作キー部の平面図である。
【発明を実施するための形態】
【００２１】
以下、本発明の実施形態を図面に基づいて説明する。
【００２２】
まず、図１〜図８を参照して、本発明の一実施形態による携帯電話機１００の構成について説明する。なお、本実施形態では、本発明の携帯機器の一例として、表示部が操作部に対してスライド移動するスライド型の携帯電話機１００に、本発明を適用した場合について説明する。
【００２３】
本発明の一実施形態による携帯電話機１００は、図１〜図４に示すように、平面的に見て横長形状を有する操作部側本体１０と、操作部側本体１０の上面側に取り付けられ、操作部側本体１０に対してＸ方向およびＹ方向にスライド移動が可能である表示部側本体２０とを備えている。なお、操作部側本体１０および表示部側本体２０は、本発明の「携帯機器本体」の一例である。
【００２４】
図１に示すように、携帯電話機１００は、ユーザが表示部側本体２０をスライド移動させずに操作部側本体１０の上に完全に重ねることによって、携帯電話機１００の平面積を最も小さくした状態で保持できるように構成されている。
【００２５】
また、図５に示すように、操作部側本体１０は、操作部側筐体１１と、操作回路基板１２と、操作キー部１３と、スイッチ基板１４とによって構成されている。操作部側筐体１１は、ダイキャスト成形による金属製（Ｍｇ製またはＡｌ製）の蓋部材１１１が、ポリカーボネート（ＰＣ）やＡＢＳ樹脂からなる樹脂製のケーシング部材１１２に対してＺ方向に嵌め込まれて形成されている。また、操作回路基板１２は、操作部側筐体１１の内部に収納されるとともに携帯電話機１００に種々の機能を実現させる役割を有している。また、操作キー部１３は、複数の操作キー４０が形成されたシート状形状を有するとともに、スイッチ基板１４を介して操作回路基板１２と接続されている。なお、操作キー４０は、本発明の「操作キー」の一例である。
【００２６】
また、表示部側本体２０は、表示部側筐体２１と、液晶ディスプレイからなる表示部２２とによって構成されている。表示部側筐体２１は、ポリカーボネート（ＰＣやＡＢＳ樹脂）からなる樹脂製のパネル部２１ａが、ダイキャスト成形による金属製（Ｍｇ製またはＡｌ製）のケーシング部材２１ｂに対してＺ方向に嵌め込まれて形成されている。また、表示部２２は、表示部側筐体２１の内部に収納されるとともにＦＰＣ（Ｆｌｅｘｉｂｌｅ  Ｐｒｉｎｔｅｄ  Ｃｉｒｃｕｉｔｓ）（図示せず）を介して操作回路基板１２と接続されている。また、表示部２２の液晶ディスプレイにはタッチパネルが設けられている。これにより、表示部２２に表示されるアイコンなどにユーザが直接触れることによっても、携帯電話機１００を操作することができる。また、表示部側本体２０の上面には、複数の操作キー２３が設けられている。これらの操作キー２３は、携帯電話機１００の形態（スライドさせているか、重ねているか）に関わらず常に上面に露出して配置されているため、受話および終話などの基本的な機能が割り当てられている。
【００２７】
ここで、図５に示すように、操作部側本体１０と表示部側本体２０とは、操作部側本体１０と表示部側本体２０との間に配置された板金製のスライドプレート３１と、Ｘ方向スライダ３２およびＹ方向スライダ３３とからなるスライド機構を介して接続されている。
【００２８】
上述のようなスライド機構を備えることによって、図２〜図４に示すように、ユーザが図１に示した初期状態から表示部側本体２０を操作部側本体１０に対してＸ方向およびこの方向と直交するＹ方向にスライドさせた状態で携帯電話機１００を使用することが可能とされている。すなわち、ユーザが表示部側本体２０をＸ１方向にスライド移動させた場合、図３に示すように、操作キー４０のうちの操作部側本体１０の上面に露出する領域Ａ（一点鎖線領域）に対応する操作キー群を使用して携帯電話機１００を操作することが可能である。また、ユーザが表示部側本体２０をＹ１方向にスライド移動させた場合、図２に示すように、操作キー４０のうちの操作部側本体１０の上面に露出する領域Ｂ（破線領域）に対応する操作キー群を使用して携帯電話機１００を操作することが可能であるように構成されている。
【００２９】
また、図７に示すように、操作部側本体１０の操作キー部１３は、部分的に重複した領域Ａおよび領域Ｂを含むＬ字状形状を有する。また、操作キー部１３は、シート基材１３ａ、緑色反射シート１３ｂ、青色反射シート１３ｃおよび赤色反射シート１３ｄを含んでいる。操作キー部１３は、シート基材１３ａに対して緑色反射シート１３ｂ、青色反射シート１３ｃおよび赤色反射シート１３ｄが蒸着により積層された４層構造を有する。また、シート基材１３ａは、操作キー部１３の表面（操作面）側に配置された樹脂材料からなるシートである。シート基材１３ａには、複数の凸形状の操作キー４０が固定的に形成されている。具体的には、シート基材１３ａの操作キー４０に対応する部分は凸部として形成されるとともに、シート基材１３ａの操作キー４０以外の部分は凹部４１として形成されている。操作キー部１３は、各操作キー４０および凹部４１に、それぞれの操作キー４０に割り当てられた数字、文字または記号を表示可能なように構成されている。凸形状の複数の操作キー４０と、各操作キー４０間の凹部４１とは、シート基材１３ａに一体的に形成されている。なお、シート基材１３ａは、本発明の「シート状部材」の一例である。
【００３０】
緑色反射シート１３ｂは、緑色光のみを選択的に反射し、緑色光以外の光を透過する機能を有する。この緑色反射シート１３ｂには、領域Ｂに含まれる１６個の矩形状の操作キー４０に対応する位置に、１〜１６までの数字からなる表示パターンＰ１（図２参照）を表示するための複数の開口部Ｐ１ａが個別に形成されている。また、緑色反射シート１３ｂには、領域Ｂに含まれる円形状の操作キー４０に対応する位置に、４方向（矢印Ｘ１、Ｘ２、Ｙ１およびＹ２方向）の矢印の表示パターンＰ１（図２参照）を表示するための複数の開口部Ｐ１ａが個別に形成されている。このため、操作キー部１３の下方から照射された緑色光が表示パターンＰ１の形状を有する開口部Ｐ１ａを通過するとともに、緑色反射シート１３ｂの開口部Ｐ１ａ以外の部分では緑色光が反射されるように構成されている。これにより、操作キー部１３の各操作キー４０（シート基材１３ａ）には、緑色反射シート１３ｂの開口部Ｐ１ａを通過した緑色光により、各表示パターンＰ１（１〜１６の数字および４方向の矢印の形状）（図２参照）が緑色に光りながら表示されるように構成されている。
【００３１】
青色反射シート１３ｃは、青色光のみを選択的に反射し、青色光以外の光を透過する機能を有する。この青色反射シート１３ｃには、領域Ａに含まれる３９個の矩形状の操作キー４０に対応する位置に、アルファベットの文字（Ａ〜ＺおよびＡ´〜Ｍ´）の表示パターンＰ２（図３参照）を表示するための複数の開口部Ｐ２ａが個別に形成されている。このため、操作キー部１３の下方から照射された青色光が表示パターンＰ２の形状を有する開口部Ｐ２ａを通過するとともに、青色反射シート１３ｃの開口部Ｐ２ａ以外の部分では青色光が反射されるように構成されている。これにより、第２表示モードにおいて操作キー部１３の各操作キー４０（シート基材１３ａ）には、青色反射シート１３ｃの開口部Ｐ２ａを通過した青色光により、各表示パターンＰ２（アルファベット（Ａ〜ＺおよびＡ´〜Ｍ´））（図３参照）が青色に光りながら表示されるように構成されている。
【００３２】
赤色反射シート１３ｄは、赤色光のみを選択的に反射し、赤色光以外の光を透過する機能を有する。この赤色反射シート１３ｄには、複数の操作キー４０および凹部４１を用いる操作ボタン４２（４２ａ〜４２ｅ）（図４参照）を表示するための複数の開口部Ｐ３ａが、領域Ａの各操作ボタン４２に対応する位置にそれぞれ形成されている。このため、操作キー部１３の下方から照射された赤色光が操作ボタン４２の形状を有する開口部Ｐ３ａを通過するとともに、赤色反射シート１３ｄの開口部Ｐ３ａ以外の部分では赤色光が反射されるように構成されている。これにより、第３表示モードにおいて操作キー部１３の各操作キー４０（シート基材１３ａ）には、赤色反射シート１３ｄの開口部Ｐ３ａを通過した赤色光により、操作ボタン４２（４２ａ〜４２ｅ）（図４参照）が赤色に光りながら表示されるように構成されている。
【００３３】
また、操作キー部１３の下側には、導光板１３１が配置されるとともに、緑色、青色および赤色の照明光を照射する４個の発光部１３２が導光板１３１の側端面１３１ａに設けられている。
【００３４】
導光板１３１は、側端面１３１ａから入射された照明光を表面全体に均一に発光させる機能を有する。これにより、４個の発光部１３２からの照明光によって緑色、青色および赤色のそれぞれの照明光を操作キー部１３の全体に下方から照射するように構成されている。
【００３５】
発光部１３２は、図８に示すように、緑色ＬＥＤ（Ｌｉｇｈｔ  Ｅｍｉｔｔｉｎｇ  Ｄｉｏｄｅ）１３２ａ、青色ＬＥＤ１３２ｂおよび赤色ＬＥＤ１３２ｃの３つのＬＥＤを含んでいる。この発光部１３２が緑色ＬＥＤ１３２ａ、青色ＬＥＤ１３２ｂおよび赤色ＬＥＤ１３２ｃのそれぞれを用いて緑色光、青色光および赤色光を導光板１３１に個別に照射するように構成されている。
【００３６】
本実施形態では、これらの各操作キー４０の表示は、３つの表示モードに切り替え可能に構成されている。すなわち、操作キー部１３は、緑色、青色および赤色のうちいずれか１色の照明光を下方から操作キー部１３に対して照射することによって、緑色の表示パターンＰ１を表示する第１表示モード（図２参照）、青色の表示パターンＰ２を表示する第２表示モード（図３参照）および赤色の操作ボタン４２を表示する第３表示モード（図４参照）のいずれか１つを選択して、切り替え可能に表示するように構成されている。そして、各操作キー４０は、それぞれの表示モードにおいて各操作キー４０に表示される数字、文字または記号に対応する操作入力を受け付けるように構成されている。
【００３７】
具体的には、第１表示モードでは、図２に示すように、単一の操作キー４０を用いて単一の意味（１〜１６までの数字および４方向の矢印の各々）を有する表示パターンＰ１が、それぞれの操作キー４０に表示されるように構成されている。この第１表示モードでは、携帯電話機１００を縦方向（矢印Ｙ１方向）にスライドさせた場合に表示パターンＰ１が表示されるように構成されている。なお、表示パターンＰ１は、本発明の「第２操作キー表示パターン」の一例である。また、第１表示モードは、本発明の「第２モード」の一例である。
【００３８】
第２表示モードでは、図３に示すように、第２表示モードでは、単一の操作キー４０を用いて単一の意味（アルファベットの文字（Ａ〜ＺおよびＡ´〜Ｍ´）の各々）を有する表示パターンＰ２が、それぞれの操作キー４０に表示されるように構成されている。この第２表示モードでは、携帯電話機１００を横方向（Ｘ１方向）にスライドさせた場合に表示パターンＰ２が表示されるように構成されている。なお、表示パターンＰ２は、本発明の「第２操作キー表示パターン」の一例である。また、第２表示モードは、本発明の「第２モード」の一例である。
【００３９】
ここで、本実施形態では、第３表示モードは、携帯電話機１００を用いて動画再生機能を実行する場合（表示部２２に動画が表示されている場合）に複数の操作キー４０を用いて動画再生機能に使用する操作ボタン４２を大きく表示する表示モードである。図４に示すように、この第３表示モードでは、複数の操作キー４０を用いて単一の意味を有する操作ボタン４２を大きく表示するように構成されている。具体的には、図６に示すように、それぞれ６つの操作キー４０を用いて巻き戻しボタン４２ａ、停止ボタン４２ｂ、一時停止ボタン４２ｃおよび早送りボタン４２ｅの表示パターンが大きく表示されるとともに、４つの操作キーを用いて再生ボタン４２ｄの表示パターンが大きく表示されている。なお、これらの５つの操作ボタン４２の矢印Ｙ１方向側の操作キー４０には、個別に「次チャプター」や、「前チャプター」などの操作ボタンが表示されている。なお、操作ボタン４２（４２ａ〜４２ｅ）は、本発明の「第１操作キー表示パターン」の一例である。また、第３表示モードは、本発明の「第１モード」の一例である。
【００４０】
また、本実施形態では、上述の第３表示モードでは、複数の操作キー４０に加えて複数の操作キー４０の間の凹部４１も用いて操作ボタン４２の表示を行うように構成されている。このため、各操作ボタン４２には、複数の操作キー４０と各操作キー４０間の凹部４１とを用いてそれぞれ単一の意味を示す図柄（「停止」を意味する矩形状の図柄や、「再生」を意味する三角形状の図柄など）の表示パターンが連続的に表示されている。また、各操作ボタン４２は、単一の意味を有する複数の操作キー４０（操作ボタン４２に含まれる操作キー４０）のうち、少なくとも１つの操作キー４０が押下げられた場合に操作指示が有効になるように構成されている。たとえば、動作再生中に停止ボタン４２ｂの表示領域に含まれる６つの操作キー４０の内のいずれか１つでも押下された場合には、動画再生の停止指示が有効となるように構成されている。
【００４１】
また、図５に示すように、これらの４層の操作キー部１３および導光板１３１の下面側に、スイッチ基板１４が配置されている。スイッチ基板１４は、メンブレン方式を用いたキー入力回路が形成されたＦＰＣ基板からなる。スイッチ基板１４には、操作キー部１３の各操作キー４０に対応する位置にスイッチ部１４ａがそれぞれ配置されている。このスイッチ基板１４のスイッチ部１４ａにより、ユーザによる操作キー４０の押下入力を検出するように構成されている。このスイッチ基板１４は、蓋部材１１１の上面に固定的に取り付けられるとともに、図示しないリード部が蓋部材１１１に設けられた孔部１１１ａを介して操作回路基板（メイン基板）１２に接続されている。
【００４２】
また、図８に示すように、携帯電話機１００の操作回路基板１２は、ＣＰＵ（Ｃｅｎｔｒａｌ  Ｐｒｏｃｅｓｓｉｎｇ  Ｕｎｉｔ）１２１と、通信回路１２２と、ＲＡＭ（Ｒａｎｄｏｍ  Ａｃｃｅｓｓ  Ｍｅｍｏｒｙ）１２３と、ＲＯＭ（Ｒｅａｄ  Ｏｎｌｙ  Ｍｅｍｏｒｙ）１２４と、フラッシュメモリ１２５と、音声処理回路１２６と、Ｉ／Ｆ（Ｉｎｔｅｒｆａｃｅ）１２７とを備えている。
【００４３】
ＣＰＵ１２１は、ＲＯＭ１２４に記憶されたプログラムに基づき、ＲＡＭ１２３を作業領域として用いて各種演算処理を行うことにより、携帯電話機１００全体の制御を行うように構成されている。また、ＣＰＵ１２１は、通信回路１２２および音声処理回路１２６を用いて、音声通話に伴う制御などを行うように構成されている。また、ＣＰＵ１２１は、表示部側本体２０のＹ方向のスライドを検出するための第１位置検出センサ５１、表示部側本体２０のＸ方向のスライドを検出するための第２位置検出センサ５２、表示部側本体２０の操作キー２３（表示部側）、操作キー部１３の操作キー４０（スイッチ基板１４）および発光部１３２と、それぞれＩ／Ｆ１２７を介して接続されている。
【００４４】
ＣＰＵ１２１は、発光部１３２を制御して、操作キー部１３の各操作キー４０に所定の表示パターン（第１表示モード、第２表示モードまたは第３表示モードの各表示パターン）を表示させる機能を有する。ここで、ＣＰＵ１２１は、所定の位置に内蔵された第１位置検出センサ５１を用いて表示部側本体２０のＹ方向のスライド動作を検出するとともに、所定の位置に内蔵された第２位置検出センサ５２を用いて表示部側本体２０のＸ方向のスライド動作を検出するように構成されている。
【００４５】
そして、ＣＰＵ１２１は、第１位置検出センサ５１からの出力に基づいて発光部１３２の緑色ＬＥＤ１３２ａを発光させるとともに、第２位置検出センサ５２からの出力に基づいて発光部１３２の青色ＬＥＤ１３２ｂを発光させるように構成されている。
【００４６】
また、ＣＰＵ１２１は、表示部２２のタッチパネルや、表示部側本体２０に設けられた操作キー２３および操作キー部１３に設けられた操作キー４０などを用いてユーザにより動画再生モードが選択されると、ＲＯＭ１２４から動画再生用ソフトウェアを読み込むとともに、フラッシュメモリ１２５に格納された動画データを読み出すことにより、動画再生を開始するように構成されている。本実施形態では、この動画再生時には、ＣＰＵ１２１は、発光部１３２の赤色ＬＥＤ１３２ｃを発光させるように構成されている。
【００４７】
なお、各操作キー４０が押下されると、押し下げられた操作キー４０に対応した信号がスイッチ基板１４からＣＰＵ１２１に入力される。このとき、ＣＰＵ１２１は、第１表示モードの表示パターンＰ１、第２表示モードの表示パターンＰ２または第３表示モードの操作ボタン４２のいずれの表示パターンが表示されているかに応じて、押下された操作キー４０に対応する操作入力を受け付けるように構成されている。特に、第３表示モードにおいて操作ボタン４２が操作キー４０（操作キー部１３）に表示されている場合には、ＣＰＵ１２１は、単一の操作ボタン４２に含まれる複数の操作キー４０の入力をいずれも同一の操作入力として受け付ける。これにより、操作ボタン４２を構成する複数の操作キー４０のうちのいずれのキーが入力されても、操作ボタン４２に対応する操作指示が有効になる。
【００４８】
通信回路１２２は、アンテナ１２２ａを介して通信用電波の送受信を行う機能を有する。これにより、携帯電話機１００は、他の通信端末との電話回線を用いた通話を行うことが可能である。
【００４９】
ＲＡＭ１２３は、ＣＰＵ１２１による制御に伴い生成される一時データなどを書き換え可能に記憶する機能を有する。また、ＲＯＭ１２４には、動画再生用ソフトウェアを含むＣＰＵ１２１による各種の機能を実現させるためのプログラムなどが記憶されている。
【００５０】
フラッシュメモリ１２５は、不揮発性メモリからなり、このフラッシュメモリ１２５には動画データなどが記憶されている。動画データの再生時には、ＣＰＵ１２１により動画データがフラッシュメモリ１２５から読み出されて、表示部２２および音声処理回路１２６に出力される。
【００５１】
音声処理回路１２６は、フラッシュメモリ１２５に記憶された動画データに含まれる音声データや、通話時の音声データなどを表示部側本体２０に内蔵されたスピーカ１２６ａから出力するとともに、マイク１２６ｂから入力される音声信号をＣＰＵ１２１に出力する機能を有する。
【００５２】
次に、図１〜３および図６〜図８を参照して、本発明の一実施形態による携帯電話機１００の各操作キー４０の表示パターン切り替え動作を説明する。
【００５３】
図１に示すように、ユーザが表示部側本体２０を操作部側本体１０の上に完全に重ねた状態から表示部側本体２０をＹ方向にスライドさせる場合には、図２に示すように、操作キー部１３の領域Ｂが露出される。この際、表示部側本体２０のＹ方向のスライドに伴い、第１位置検出センサ５１（図８参照）からの出力信号がＩ／Ｆ１２７を介してＣＰＵ１２１に入力される。そして、第１位置検出センサ５１からの出力信号に基づき、ＣＰＵ１２１により発光部１３２の緑色ＬＥＤ１３２ａが発光される。図７に示すように、緑色ＬＥＤ１３２ａからの緑色光は、導光板１３１を介して操作キー部１３に下方から照射される。
【００５４】
操作キー部１３に照射された緑色光は、赤色反射シート１３ｄおよび青色反射シート１３ｃを透過し、緑色反射シート１３ｂに照射される。第１表示モードの表示パターンＰ１が形成された開口部Ｐ１ａから照射された緑色光が上方に通過する一方、緑色反射シート１３ｂの開口部Ｐ１ａ以外の部分では緑色光が反射される。これにより、操作キー部１３の各操作キー４０（シート基材１３ａ）に第１表示モードの緑色の表示パターンＰ１が表示される。
【００５５】
また、ユーザが表示部側本体２０を操作部側本体１０の上に完全に重ねた状態（図１参照）から表示部側本体２０をＸ方向にスライドさせる場合には、図３に示すように、操作キー部１３の領域Ａが露出される。この際、表示部側本体２０のＸ方向へのスライドに伴い、第２位置検出センサ５２（図８参照）からの出力信号がＩ／Ｆ１２７を介してＣＰＵ１２１に入力される。そして、第２位置検出センサ５２からの出力信号に基づき、ＣＰＵ１２１により発光部１３２の青色ＬＥＤ１３２ｂが発光される。図７に示すように、青色ＬＥＤ１３２ｂからの青色光は、導光板１３１を介して操作キー部１３に下方から照射される。
【００５６】
操作キー部１３に照射された青色光は、赤色反射シート１３ｄを透過して青色反射シート１３ｃに照射される。第２表示モードの表示パターンＰ２が形成された開口部Ｐ２ａから照射された青色光が上方に通過する一方、青色反射シート１３ｃの開口部Ｐ２ａ以外の部分では青色光が反射される。そして、第２表示モードの表示パターンＰ２が形成された開口部Ｐ２ａを通過した青色光が緑色反射シート１３ｂを透過することにより、操作キー部１３の各操作キー４０（シート基材１３ａ）に第２表示モードの青色の表示パターンＰ２が表示される。
【００５７】
その後、ユーザにより動画再生モードに切り替える操作指示が入力されると、ＣＰＵ１２１により、ＲＯＭ１２４の動画再生用ソフトウェアが実行されるとともにフラッシュメモリ１２５から動画データが読み込まることにより動画再生が開始される。この際、図７に示すように、ＣＰＵ１２１により発光部１３２の赤色ＬＥＤ１３２ｃが発光され、赤色光が導光板１３１を介して操作キー部１３に下方から照射される。
【００５８】
操作キー部１３に照射された赤色光は、第３表示モードの操作ボタン４２が形成された開口部Ｐ３ａから上方に通過する一方、赤色反射シート１３ｄの開口部Ｐ３ａ以外の部分では赤色光が反射される。そして、第３表示モードの操作ボタン４２が形成された開口部Ｐ３ａを通過した赤色光が青色反射シート１３ｃおよび緑色反射シート１３ｂを透過することにより、操作キー部１３の各操作キー４０（シート基材１３ａ）に赤色の操作ボタン４２（図６参照）が表示される。
【００５９】
このようにして、第１表示モード〜第３表示モードの各表示パターン（表示パターンＰ１、Ｐ２または操作ボタン４２）の表示切り替えが行われる。
【００６０】
本実施形態では、上記のように、第３表示モードに切り替えることによって、複数の操作キー４０を用いて単一の意味を有する操作ボタン４２（４２ａ〜４２ｅ）を表示することができる。これにより、単一の意味を有するとともに複数の操作キー４０を含む広いキー領域（操作ボタン４２）を表示することができるので、操作キー４０（操作ボタン４２）の視認性を向上させることができる。この場合、ユーザは複数の操作キー４０を含む広いキー領域（操作ボタン４２）を押下することにより単一の入力操作を行うことができるので、個々の操作キー４０が小型でかつ密集して形成されている場合にも操作性を向上させることができる。また、操作部側本体１０に固定的に設置された複数の操作キー４０を用いて単一の意味を有する操作ボタン４２を表示することができるので、第３表示モードに切り替えることによって実質的にキー配置が変更される場合にもタッチパネルを用いる必要がない。これらの結果、タッチパネルを用いる必要がないとともに、多数の操作キー４０が密集して配置される場合にも携帯電話機１００の操作性および視認性を向上させることができる。
【００６１】
また、本実施形態では、上記のように、第３表示モードにおいて、操作ボタン４２に含まれる複数の操作キー４０のうちの少なくとも１つが押下された場合に、操作指示が有効になるように構成することによって、複数の操作キー４０を用いて単一の意味を有する操作ボタン４２を表示する場合に、この操作ボタン４２に含まれる複数の操作キー４０のいずれを押下しても操作指示が入力されるので、複数の小型の操作キー４０が密集して配置された場合にも容易に操作入力を行うことができる。これにより、携帯電話機１００の操作性をさらに向上させることができる。
【００６２】
また、本実施形態では、上記のように、複数の操作キー４０のみならず複数の操作キー４０間の操作キー４０以外の部分（凹部４１）も用いて操作ボタン４２（４２ａ〜４２ｅ）の表示を行うように構成することによって、複数の操作キー４０と複数の操作キー４０間の凹部４１とを用いて、各操作ボタン４２の「再生（再生ボタン４２ｄ）」や「停止（停止ボタン４２ｂ）」を示す図柄を連続的に表示することができる。これにより、複数の操作キー４０を含む表示領域（操作ボタン４２）の視認性をより向上させることができる。
【００６３】
また、本実施形態では、上記のように、操作キー部１３（シート基材１３ａ）の操作キー４０に対応する部分を凸部として形成するとともに、操作キー部１３（シート基材１３ａ）の操作キー４０以外の部分を凹部４１として形成することによって、複数の操作キー４０を用いた操作ボタン４２（４２ａ〜４２ｅ）を表示した場合にも、実際に入力を受け付ける操作キー４０に対応する部分を凸形状に形成することができるので、キー入力時の感触（いわゆるクリック感）が明確となる。この結果、入力時の感触を得にくいタッチパネルを用いる場合と異なり、１つ１つのキー入力操作が正しく行われたことをユーザが確認することができるので、携帯電話機１００の操作性をより向上させることができる。
【００６４】
また、本実施形態では、上記のように、表示部２２に動画が表示されている場合（第３表示モード）には、再生ボタン４２ｄ、停止ボタン４２ｂ、巻き戻しボタン４２ａ、一時停止ボタン４２ｃおよび早送りボタン４２ｅを含む操作ボタン４２の各々を複数の操作キー４０を用いて表示することによって、動画の再生時において、各操作ボタン４２（４２ａ〜４２ｅ）を複数の操作キー４０を用いて大きく表示することができる。これにより、ユーザは、複数の操作キー４０を用いて１つの操作ボタン４２が表示された動画再生専用の表示パターン（操作ボタン４２）によって携帯電話機１００の操作を行うことができるので、動画再生時の各操作ボタン４２の視認性を向上させることができるとともに、操作性を向上させることができる。
【００６５】
また、本実施形態では、上記のように、第３表示モードの表示パターンとして、数字および文字以外の図柄の操作ボタン４２（４２ａ〜４２ｅ）を含むように構成することによって、一般に多数の操作キー４０が必要な数字入力時および文字入力時と異なり、数字および文字以外の図柄は、たとえば動画再生時の再生ボタン４２ｄおよび停止ボタン４２ｂ、またはゲーム機能に用いるボタンなどのように所定の機能毎に専用に用いられる場合が多く、かつ、必要とされるキー数も少ない。一方、これらの数字および文字以外の図柄のキー（操作ボタン）は、それぞれの機能（アプリケーション）の使用時においては操作入力の頻度が高い。このため、これらの数字および文字以外の図柄の操作ボタン４２を表示する場合には、より多くの操作キー４０（６つまたは４つの操作キー４０）を用いて単一のキー領域（操作ボタン４２）の表示を行うことができるので、携帯電話機１００の操作性をさらに向上させることができる。
【００６６】
また、本実施形態では、上記のように、複数の操作キー４０を用いて単一の意味を有する操作ボタン４２（４２ａ〜４２ｅ）を表示する第３表示モードと、単一の操作キー４０を用いて単一の意味を有する表示パターンＰ１を表示する第１表示モードと、表示パターンＰ２を表示する第２表示モードとを切替可能に構成することによって、携帯電話機１００が実行する機能（アプリケーション）毎に必要とされる操作キー４０の数に応じて、操作ボタン４２を表示する第３表示モードと、表示パターンＰ１を表示する第１表示モードと、表示パターンＰ２を表示する第２表示モードとを切り替えることができる。これにより、複数の操作キー４０を固定的に設ける場合にも、機能（アプリケーション）に応じてキー（操作ボタン）の表示領域の大きさやキー（操作ボタン）の配置を適切に切り替えることができる。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６８】
たとえば、上記実施形態では、本発明の携帯機器をスライド式の携帯電話機１００により構成した例を示したが、本発明はこれに限られない。本発明の携帯機器を、スライド式携帯電話機以外の携帯電話機や、携帯情報端末（ＰＤＡ）、および、いわゆるスマートフォンなどの携帯端末に適用してもよい。この他、本発明の携帯機器を携帯ゲーム機やその他の携帯機器に適用してもよい。
【００６９】
また、上記実施形態では、６つの操作キーを用いて巻き戻しボタン４２ａ、停止ボタン４２ｂ、一時停止ボタン４２ｃおよび早送りボタン４２ｅを表示するとともに、４つの操作キー４０を用いて再生ボタン４２ｄを表示した例を示したが、本発明はこれに限られない。操作ボタンは、２つ、３つ、５つまたは７つ以上の操作キーを用いて表示してもよい。
【００７０】
また、上記実施形態では、操作ボタン４２に含まれる操作キー４０のうち、少なくとも１つの操作キー４０が押下された場合に操作指示が有効になるように構成した例を示したが、本発明はこれに限られない。たとえば、単一の意味を有する複数の操作キー（操作ボタンを構成する複数の操作キー）のうち、１つまたは複数の一部の操作キーが押下された場合に操作指示が有効になるように構成してもよい。
【００７１】
また、上記実施形態では、複数の操作キー４０に加えて複数の操作キー４０の間の凹部４１も用いて操作ボタン４２の表示を行うように構成した例を示したが、本発明はこれに限られない。たとえば、図９に示す本実施形態の第１変形例のように、凸形状の操作キー４０のみを用いて操作ボタンを表示するように構成してもよい。この第１変形例では、複数の操作キー４０のキートップ（操作キー４０の上面）部分のみを用いて各操作ボタン１４２（１４２ａ〜１４２ｅ）が表示されている。なお、これらの操作ボタン１４２は、上記実施形態と同様に、巻き戻しボタン１４２ａ、停止ボタン１４２ｂ、一時停止ボタン１４２ｃ、再生ボタン１４２ｄおよび早送りボタン１４２ｅである。
【００７２】
また、上記実施形態では、複数の操作キー４０をそれぞれ凸部として形成するとともに、操作キー部１３の操作キー４０以外の部分は凹部４１として形成した例を示したが、本発明はこれに限られない。たとえば、複数の操作キーおよび操作キー以外の部分を平坦に形成してもよい。
【００７３】
また、上記実施形態では、複数の操作キー４０を用いて巻き戻しボタン４２ａ、停止ボタン４２ｂ、一時停止ボタン４２ｃ、再生ボタン４２ｄおよび早送りボタン４２ｅの５つの操作ボタン４２を表示した例を示したが、本発明はこれに限られない。操作ボタンとして、たとえば再生ボタンおよび停止ボタンのみを複数の操作キーを用いて表示してもよい。また、上記実施形態において操作キー４０に個別に表示していた「次チャプター」や、「前チャプター」などの操作ボタンを、複数の操作キー４０を用いて表示してもよい。
【００７４】
また、上記実施形態では、複数の操作キー４０を用いて動画再生に用いる５つの操作ボタン４２を表示した例を示したが、本発明はこれに限られない。たとえば、図１０に示す本実施形態の第２変形例のように、複数の操作キー４０を用いてゲーム機能に用いる操作ボタン２４２を表示するように構成してもよい。この第２変形例では、３つの操作キー４０およびこの３つの操作キー４０の間の凹部４１を用いてゲーム機能に用いる「Ａボタン」２４２ａおよび「Ｃボタン」２４２ｃを表示する。また、２つの操作キー４０およびこの２つの操作キー４０の間の凹部４１を用いて「Ｂボタン」２４２ｂ、「Ｄボタン」２４２ｄ、「ＳＴＡＲＴボタン」２４２ｅおよび「ＳＥＬＥＣＴボタン」２４２ｆを表示する。また、１つの操作キー４０を用いて個別に「方向ボタン」の表示パターンを表示する。また、この第２変形例では、各操作ボタン２４２の矢印Ｘ２方向側にそれぞれの操作ボタンを示す文字（Ａ〜Ｄ、ＳＴＡＲＴおよびＳＥＬＥＣＴ）を表示している。この場合にも、複数の操作キー４０を用いてゲーム操作に用いる操作ボタン２４２（２４２ａ〜２４２ｆ）を表示することによって、操作キー（操作ボタン）の視認性および操作性を向上することが可能である。
【００７５】
また、上記実施形態では、複数の操作キー４０を用いて単一の意味を有する操作ボタン４２を表示する第３表示モードと、単一の操作キー４０を用いて単一の意味（１〜１６までの数字および４方向の矢印の各々）を有する表示パターンＰ１を表示する第１表示モードと、単一の操作キー４０を用いて単一の意味（アルファベットの文字（Ａ〜ＺおよびＡ´〜Ｍ´）の各々）を有する表示パターンＰ２を表示する第２表示モードとの、３つの表示モードを切り替え可能に構成した例を示したが、本発明はこれに限られない。たとえば、複数の操作キーを用いて単一の意味を有する操作ボタンを表示するモードと、単一の操作キーを用いて単一の意味を有する表示パターンを表示するモードとの２つのモードのみを切り替え可能に構成してもよい。また、本発明では、４つ以上の表示モードを切り替え可能に構成してもよい。
【００７６】
また、上記実施形態では、緑色反射シート１３ｂ、青色反射シート１３ｃおよび赤色反射シート１３ｄをそれぞれ用いて、３つの表示モードを切り替え可能に構成した例を示したが、本発明はこれに限られない。たとえば、特定の色の光のみを選択的に吸収するフィルタを用いて３つの表示モードを切り替え可能に構成してもよい。すなわち、緑色光のみを選択的に吸収し、緑色光以外の色の光を透過するフィルタに表示パターンＰ１の開口部Ｐ１ａを形成する。青色光のみを選択的に吸収し、青色光以外の色の光を透過するフィルタに表示パターンＰ２の開口部Ｐ２ａを形成する。また、赤色光のみを選択的に吸収し、赤色光以外の色の光を透過するフィルタに操作ボタン４２の開口部Ｐ３ａを形成する。これにより、３つの表示モードを切り替え可能に構成することができる。
【００７７】
また、上記実施形態では、緑色、青色および赤色のうちいずれか１色の照明光を操作キー部１３に対して照射することによって、３つの表示モードを切り替え可能に構成した例を示したが、本発明はこれに限られない。本発明では、緑色、青色および赤色以外の色の照明光を照射することによって、表示モードを切り替えてもよい。たとえば、紫色光、青緑色光および橙色光の照明光をそれぞれ用いて３つの表示モードを切り替えるように構成してもよい。
【００７８】
また、上記実施形態では、再生ボタン（三角形状の図柄）や停止ボタン（四角形状の図柄）などの数字および文字以外の図柄の操作ボタンを操作キー部１３に表示するように構成した例を示したが、本発明はこれに限られない。たとえば、テレビ受信機能を備えた携帯電話機において、テレビ放送を受信中には、チャンネルを送る（次のチャンネル、および、前のチャンネル）操作ボタンや、音量調節（音量上昇および音量減少）ボタンなどの操作ボタンにそれぞれ対応する図柄を表示するように構成してもよい。
【符号の説明】
【００７９】
１０  操作部側本体（携帯機器本体）
１３ａ  シート基材（シート状部材）
２０  表示部側本体（携帯機器本体）
２２  表示部
４０  操作キー
４１  凹部
４２、１４２、２４２  操作ボタン（第１操作キー表示パターン）
４２ｂ、１４２ｂ  停止ボタン
４２ｄ、１４２ｄ  再生ボタン
Ｐ１、Ｐ２  表示パターン（第２操作キー表示パターン）
１００  携帯電話機（携帯機器）
【図１】
2011015187.tif 000003
【図２】
2011015187.tif 000004
【図３】
2011015187.tif 000005
【図４】
2011015187.tif 000006
【図５】
2011015187.tif 000007
【図６】
2011015187.tif 000008
【図７】
2011015187.tif 000009
【図８】
2011015187.tif 000010
【図９】
2011015187.tif 000011
【図１０】
2011015187.tif 000012